(57)【要約】【課題】書き換え可能なＤＶＤの書き換え機能を十分に発揮出来るディスクチェンジャ装置を提供すること。【解決手段】ディスク収納部とディスクドライブからなるディスクチェンジャと、記録・再生部と、ＡＶ信号入力・出力処理部と、制御部と、ハードディスクドライブＨＤＤから構成されるディスクチェンジャ装置であって、制御部は、リムーバブルディスク記録媒体へ記録し、削除し、又は編集するという書き込みのための操作が為されたと判定した場合は、リムーバブルディスク記録媒体へ記録し、削除し、又は編集するという書き込み処理を行い、次いで、リムーバブルディスク記録媒体上の管理情報を更新し、ＨＤＤ内の当該リムーバブルディスク記録媒体の管理情報を更新する。【選択図】　　図１
2004127437.tif 000002
【特許請求の範囲】
【請求項１】
ディスク収納部とディスクドライブからなるディスクチェンジャと、記録・再生部と、ＡＶ信号入力・出力処理部と、制御部と、ハードディスクドライブＨＤＤから構成されるディスクチェンジャ装置であって、
制御部は、リムーバブルディスク記録媒体へ記録し、削除し、又は編集するという書き込みのための操作が為されたと判定した場合は、リムーバブルディスク記録媒体へ記録し、削除し、又は編集するという書き込み処理を行い、次いで、リムーバブルディスク記録媒体上の管理情報を更新し、ＨＤＤ内の当該リムーバブルディスク記録媒体の管理情報を更新する、
ことを特徴とするディスクチェンジャ装置。
【発明の詳細な説明】
【０００１】
【発明の属する技術分野】
本発明は、例えばＤＶＤ等のリムーバブルディスク記録媒体（本明細書ではＤＶＤで代表する）を複数個収納しておき、要求に応じて所望のＤＶＤを選択して再生することが出来るディスクチェンジャ装置、特に動画・音声を含むＡＶデータ信号を再生可能なＤＶＤを収納したディスクチェンジャ装置に関する。
【０００２】
【従来の技術】
記録技術の向上により、リムーバブルディスク記録媒体は、その記録容量が格段に大きくなり、又ビット当たりの記録単価も低下し、種々の用途に使用されている。例えば動画・音声を含むＡＶデータ信号を記録再生可能なＤＶＤは、映画や音楽ビデオやゲームソフト等の利用が見込まれている。そして、これらＤＶＤを１台のディスクチェンジャ装置に多種類収納することで、映画や音楽ビデオの視聴、ゲームの実行等が出来るようになる。
【０００３】
図３に、従来から知られるディスクチェンジャ装置１０の構成を示す。ディスクチェンジャ装置１０は、ディスク収納部とディスクドライブからなるディスクチェンジャ１ａと、再生部１ｂと、ＡＶ信号出力処理部１ｃと、制御部１ｄと、ハードディスクドライブＨＤＤ１ｅから構成されている。操作装置２を操作して、ディスクチェンジャ装置１０の制御部１ｄに所定の信号を入力し、ディスク収納部に収納されている所望のＤＶＤを選択し、再生部１ｂで再生し、ＡＶ信号出力処理部１ｃからＡＶデータ信号をモニタ装置３へ出力して、モニタ装置３で映画や音楽ビデオの視聴、ゲームの実行等を行うものである。以下、ディスクチェンジャ装置１０について詳細に説明する。
【０００４】
ディスクチェンジャ１ａのディスク収納部は、制御部１ｄからの制御信号に基づいて、収納されている複数個のＤＶＤから再生したい１枚のＤＶＤを選択し、収納箇所より搬出して、ディスクドライブにセットする。再生動作が終了しディスクドライブから搬送されて来ると、そのＤＶＤを元の収納箇所に搬入する。又、ディスクチェンジャ装置１０の外部からディスクチェンジャ１ａに新しいＤＶＤを収納すべく、図示しない挿入口からＤＶＤを挿入した時、或いはディスクチェンジャ１ａに収納されている所望のＤＶＤを取り出すよう操作装置２から操作指令を与えた時は、挿入されたＤＶＤを空いている収納箇所に搬入し、或いは所望のＤＶＤを選択し、収納箇所より搬出して図示しない搬出口から搬出する。ディスクチェンジャ１ａのディスク収納部には、ビデオデータやゲームソフト等が記録されたＤＶＤが、通常数十枚〜数百枚収納される。収納枚数は装置や用途等により適宜決定される。
【０００５】
ディスクチェンジャ１ａのディスクドライブは、選択された１枚のＤＶＤがセットされると、光ピックアップを用いて動画・音声を含むＡＶデータ信号を読み取り、再生部１ｂに出力する。又、ディスクドライブは、後述する管理情報を作成するために必要なＤＶＤに記録されているデータを読み取り、制御部１ｄに出力する。
【０００６】
再生部１ｂは、制御部１ｄからの制御信号に基づいて、ディスクドライブから出力されたＡＶデータ信号を順次再生処理して、ＡＶ信号出力処理部１ｃに或いは制御部１ｄを介してＨＤＤ１ｅに出力する。なお、ＡＶデータ信号が圧縮されたデータである場合は、再生部１ｂは伸張処理する。
【０００７】
ＡＶ信号出力処理部１ｃは、再生部１ｂ又は制御部１ｄを介してＨＤＤ１ｅから出力された表示用のビデオ信号を、ディスクチェンジャ装置１０の外部要素であるモニタ装置３が表示可能な形式に変換して、モニタ装置３に出力する。具体的には、入力されたデジタル映像信号を、Ｄ／Ａ変換し、所定フレームレートのアナログ映像信号を生成する等の処理を行なう。
【０００８】
制御部１ｄは、ディスクチェンジャ１ａ、再生部１ｂ、ＡＶ信号出力処理部１ｃの以上述べた動作を行うように制御すると共に、その他の動作の制御をする。又、制御部１ｄは、ディスク収納部に新らしいＤＶＤを収納し、或いは収納されているＤＶＤを取り出した時は、当該ＤＶＤに関する管理情報を作成してＨＤＤ１ｅの専用領域に記憶し、或いはＨＤＤ１ｅに記憶されている当該ＤＶＤに関する管理情報を削除する。
【０００９】
前記管理情報は、図４に示すように、各ＤＶＤのディスク情報、インデックス情報、ディスク使用状況情報から構成され、ディスク情報は、ディスク固有の情報を表す情報であり、識別情報ＩＤ、チェンジャ位置情報、その他の情報から構成されている。
【００１０】
識別情報ＩＤは、ディスクそのものを区別するための番号や、ＤＶＤ−Ｖｉｄｅｏソフトであれば内容を示すタイトル情報等が含まれる。チェンジャ位置情報は、そのディスクがチェンジャ内のどの位置に格納されているかを示す情報であり、ユーザが選択したディスクがどこにあるかを特定するためのものである。インデックス情報は、そのディスク内で、タイトルやトラックという形で複数のコンテンツが含まれており、映画のチャプターごと、音楽などであれば曲ごと、またはユーザが記録を行った単位やユーザが任意に設定した場所を示すような一覧情報が含まれる。ディスク使用状況情報は、上記インデックス情報に関連付けられて、実際にディスク内のどの領域がインデックスに対して割り当てられているか、あるいは未使用領域をがディスク内のどの領域になっているか等を示す情報である。
【００１１】
ＨＤＤ１ｅは、同じコンテンツを繰り返して利用する際直ぐ視聴可能にするために、前述したように、再生部１ｂで再生処理して得られたＤＶＤのＡＶデータ信号を記憶すると共に、その専用領域に管理情報を記憶する。
【００１２】
従来のディスクチェンジャ装置１０の処理フローを、図５を用いて簡単に説明する。ユーザが、操作装置２を用いて操作指令を出し、或いは挿入口からＤＶＤを挿入すると、制御部１ｄは、ステップＳ１においてユーザが何を操作したか判定し、ＤＶＤのコンテンツを再生するための操作が為されたと判定した場合は、ＨＤＤ１ｅ内の管理情報を使って当該コンテンツを選択し（ステップＳ２）、選択したコンテンツを含むＤＶＤを再生する（ステップＳ３）。ステップＳ１において、新らしいＤＶＤを収納し又は収納されているＤＶＤを取り出すための操作が為されたと判定した場合は、新らしいＤＶＤを収納し又は収納されているＤＶＤを取り出す処理が行われ（ステップＳ４）、次いでそのＤＶＤの管理情報をＨＤＤ１ｅに読み込み又は削除する（ステップＳ５）。
【００１３】
ＤＶＤの管理情報をＨＤＤ１ｅに記憶しておくことにより、複数のＤＶＤの中から所望のデータを探して再生するような場合に、ＨＤＤ１ｅ内の管理情報を高速にアクセスして使用することで、操作性を向上することが出来る。
【００１４】
【発明が解決しようとする課題】
以上述べた従来のディスクチェンジャ装置１０は、ＤＶＤを再生して使用するものであった。しかし、ＤＶＤには書き換え可能なものとしてＤＶＤ−ＲＡＭ、ＤＶＤ−ＲＷ、ＤＶＤ＋ＲＷ等があり、これら書き換え可能なＤＶＤを従来のディスクチェンジャ装置１０に収納しても、ＤＶＤの書き換え可能な機能が発揮できないという問題があった。
【００１５】
本発明は、以上述べた従来技術の問題点に鑑みてなされたものであり、書き換え可能なＤＶＤの書き換え機能を十分に発揮出来るディスクチェンジャ装置を提供することを目的とする。
【００１６】
【課題を解決するための手段】
上記目的を達成するために、
請求項１の記載に係る発明は、
ディスク収納部とディスクドライブからなるディスクチェンジャと、記録・再生部と、ＡＶ信号入力・出力処理部と、制御部と、ハードディスクドライブＨＤＤから構成されるディスクチェンジャ装置であって、
制御部は、リムーバブルディスク記録媒体へ記録し、削除し、又は編集するという書き込みのための操作が為されたと判定した場合は、リムーバブルディスク記録媒体へ記録し、削除し、又は編集するという書き込み処理を行い、次いで、リムーバブルディスク記録媒体上の管理情報を更新し、ＨＤＤ内の当該リムーバブルディスク記録媒体の管理情報を更新する、
ことを特徴とする。
【００１７】
【発明の実施の形態】
以下、本発明のディスクチェンジャ装置の実施例について図１、図２を用いて説明する。図１は本発明のディスクチェンジャ装置１の構成を、図２は本発明のディスクチェンジャ装置１の処理フローを、それぞれ示す図である。本発明のディスクチェンジャ装置１は、従来例のディスクチェンジャ装置１０において、収納しているＤＶＤへの書き込みと書き込んだＤＶＤの使用を可能にするために、再生部１ｂに代えて記録・再生部１Ｂを設け、ＡＶ信号出力処理部１ｃに代えてＡＶ信号入力・出力処理部１Ｃを設け、制御部１ｄに代えて図２に示す処理フローの制御を行う制御部１Ｄを設けてなるものである。
【００１８】
図１において、本発明のディスクチェンジャ装置１は、ディスクチェンジャ１ａと、記録・再生部１Ｂと、ＡＶ信号入力・出力処理部１Ｃと、制御部１Ｄと、ハードディスクドライブＨＤＤ１ｅから構成されている。
【００１９】
記録・再生部１Ｂは、再生部１ｂの機能に、ＡＶ信号入力・出力処理部１Ｃで入力処理されたＡＶデータ信号をＤＶＤに記録するための記録処理機能を加えたものである。ＡＶデータ信号の圧縮処理もここで行われる。
【００２０】
ＡＶ信号入力・出力処理部１Ｃは、ＡＶ信号出力処理部１ｃの機能に、外部要素であるＡＶ信号発生装置４例えばチューナ装置から入力された動画・音声を含むＡＶデータ信号を、Ａ／Ｄ変換等ＤＶＤに記録するデータに変換処理するＡＶ信号入力処理機能を加えたものである。ＡＶ信号発生装置４としては、インターネットに接続されている端末装置も考えられる。
【００２１】
制御部１Ｄは、制御部１ｄの機能（図５に示す処理フロー）に、ＤＶＤへ書き込み操作する機能を加えたものである。その詳細を図２を用いて説明する。ステップＳ１からステップＳ５までは図５の処理フローと同じである。
【００２２】
ステップＳ１において、ＤＶＤへ記録し、削除し、又は編集するという書き込みのための操作が為されたと判定した場合は、ＤＶＤへ記録し、削除し、又は編集するという書き込み処理が行われる（ステップＳ６）。次いで、ＤＶＤ上の管理情報を更新し（ステップＳ７）、ＨＤＤ１ｅ内の当該ＤＶＤの管理情報を更新する（ステップＳ８）。
【００２３】
【発明の効果】
以上述べたように、本発明のディスクチェンジャ装置１は、書き換え可能なＤＶＤの書き換え機能を十分に発揮出来るという効果がある。
【図面の簡単な説明】
【図１】本発明のディスクチェンジャ装置１の構成を示す図である。
【図２】本発明のディスクチェンジャ装置１の処理フローを示す図である。
【図３】従来のディスクチェンジャ装置１０の構成を示す図である。
【図４】管理情報を示す図である。
【図５】従来のディスクチェンジャ装置１０の処理フローを示す図である。
【符号の説明】
１　　ディスクチェンジャ装置
１ａ　ディスクチェンジャ
１Ｂ　記録・再生部
１ｂ　再生部
１Ｃ　ＡＶ信号入力・出力処理部
１ｃ　ＡＶ信号出力処理部
１Ｄ　制御部
１ｄ　制御部
１ｅ　ハードディスクドライブＨＤＤ
２　　操作装置
３　　モニタ装置
４　　ＡＶ信号発生装置
【図１】
2004127437.tif 000003
【図２】
2004127437.tif 000004
【図３】
2004127437.tif 000005
【図４】
2004127437.tif 000006
【図５】
2004127437.tif 000007